(57)【要約】【課題】ロッカスイッチ全体のサイズを短小化させて、様々な用途にロッカスイッチを利用したいとする要望に応えるとともに、ロッカスイッチの接点における接触力を強くして、通電状態の安定性を高めることができる手法を提供すること。【解決手段】コイルバネ１２は、押下操作に応じて圧縮又は開放を繰り返す。嵌合部１１２は、ボタン１１に設けられ、コイルバネ１２の一方端を嵌合させる。荷重片１３１は、可動接片１３に設けられ、コイルバネ１２の他方端を嵌合させてコイルバネ１２の圧縮又は開放により生じた弾性エネルギーを可動接片１３に伝達する。可動接片１３は、伝達された弾性エネルギーを利用して、接触点を移動させながら接触点を支点Ｓとして搖動する。【選択図】図１
2020057469.tif 000002
【特許請求の範囲】
【請求項１】
ボタンの一端部に対する押下操作を受け付けることで、ハウジングに固定された共通端子との接触点を有する可動接片を搖動させ、当該可動接片を接触端子に接触させることで通電状態に切り替え、前記ボタンの他端部に対する押下操作を受け付けることで、前記可動接片を反対側へ揺動させ、前記接触端子から離隔させることで遮断状態に切り替えるスイッチ装置において、
前記押下操作に応じて圧縮又は開放を繰り返すコイルバネと、
前記ボタンに設けられ、前記コイルバネの一方端を嵌合させる嵌合部と、
前記可動接片に設けられ、前記コイルバネの他方端を嵌合させて前記コイルバネの圧縮又は開放により生じた弾性エネルギーを前記可動接片に伝達する伝達部と、
を備え、
前記可動接片は、伝達された前記弾性エネルギーを利用して、前記接触点を移動させながら当該接触点を支点として搖動する、
スイッチ装置。
【請求項２】
前記可動接片が揺動自在となるように、前記ボタンと前記可動接片とを連結させる連結手段とを備えることを特徴とする請求項１に記載のスイッチ装置。
【請求項３】
前記連結手段が、前記ボタンまたは前記可動接片に形成された凸部と、前記凸部と嵌合する、前記可動接片または前記ボタンに形成された凹部とからなることを特徴とする請求項２に記載のスイッチ装置。
【発明の詳細な説明】
【技術分野】
【０００１】
本発明は、スイッチ装置に関する。
【背景技術】
【０００２】
操作ボタンの両端をシーソーのように交互に押下することで電気回路の接続状態と遮断状態との切り替えを行うスイッチは、ロッカスイッチとも呼ばれ、屋内外を問わず多く利用されている。
従来からあるロッカスイッチには、コイルバネの弾性エネルギーを利用して、ハウジングに固定された受部を支点として可動接片を搖動させるもの（特許文献１）や、搖動自在な滑動部を可動接片上で滑動させるもの（特許文献２）がある。
【先行技術文献】
【特許文献】
【０００３】
【特許文献１】特開２０１２−０７４３０１号公報
【特許文献１】特開２０１８−１２５２０５号公報
【発明の概要】
【発明が解決しようとする課題】
【０００４】
ロッカスイッチは、様々な用途に利用されるため、用途に応じてスイッチの高さを低くしたいとする要望もある。しかしながら、特許文献１に記載されたスイッチ装置（ロッカスイッチ）は、上述したように支点がハウジングに固定された状態で可動接片が搖動する構成となっている。このため、可動接片を搖動自在とするべく長いコイルバネを採用する必要があり、用途に応じてロッカスイッチを低背化させたいとする要望に応えることが困難であった。
またさらに、コイルバネは、長ければ長いほど可動接片に加わる荷重が小さくなるので、それに伴い、可動接片が接触端子に接触する際の接触力が小さくなる。そうすると、通電状態の安定性が損なわれるおそれもある。このため、可動接片が接触端子に接触する際の接触力を大きくしたいという要望があった。
【０００５】
また、特許文献２に記載されたロッカスイッチは、搖動自在な滑動部を可動接片上で滑動させるスイッチ構造とすることで、ロッカスイッチの低背化を実現させている。しかしながら、特許文献２に記載されたロッカスイッチは、支点となる受部と荷重点との距離が比較的短いので、ロッカスイッチの接点における接触力を強くするためには、荷重点に対し比較的大きな力を加える必要がある。
【０００６】
本発明は、このような状況に鑑みてなされたものであり、ロッカスイッチ全体のサイズを短小化させて、様々な用途にロッカスイッチを利用したいとする要望に応えるとともに、ロッカスイッチの接点における接触力を強くして、通電状態の安定性を高めることができる手法を提供することを目的とする。
【課題を解決するための手段】
【０００７】
上記目的を達成するため、本発明に係るスイッチ装置は、
ボタンの一端部に対する押下操作を受け付けることで、ハウジングに固定された共通端子との接触点を有する可動接片を搖動させ、当該可動接片を接触端子に接触させることで通電状態に切り替え、前記ボタンの他端部に対する押下操作を受け付けることで、前記可動接片を反対側へ揺動させ、前記接触端子から離隔させることで遮断状態に切り替えるスイッチ装置において、
前記押下操作に応じて圧縮又は開放を繰り返すコイルバネと、
前記ボタンに設けられ、前記コイルバネの一方端を嵌合させる嵌合部と、
前記可動接片に設けられ、前記コイルバネの他方端を嵌合させて前記コイルバネの圧縮又は開放により生じた弾性エネルギーを前記可動接片に伝達する伝達部と、
を備え、
前記可動接片は、伝達された前記弾性エネルギーを利用して、前記接触点を移動させながら当該接触点を支点として搖動する。
【０００８】
ここで、本発明における「開放」とは、コイルバネが無負荷状態まで開放されることに限定されず、最も圧縮された状態から負荷が軽減された状態を広く意味する。
この発明によれば、ロッカスイッチ全体のサイズを短小化させて、様々な用途にロッカスイッチを利用したいとする要望に応えることができるともに、ロッカスイッチの接点における接触力を強くして、通電状態の安定性を高めることができる。
【０００９】
また、本発明に係るスイッチ装置は、前記可動接片が揺動自在となるように、前記ボタンと前記可動接片とを連結させる連結手段とを備えることが好ましい。
【００１０】
また、本発明に係るスイッチ装置の前記連結手段が、前記ボタンまたは前記可動接片に形成された凸部と、前記凸部と嵌合する、前記可動接片または前記ボタンに形成された凹部とからなることが好ましい。
この発明によれば、押下操作により得られるエネルギーを直接的に可動接片の搖動に利用することができるので、ロッカスイッチの接点における接触力をさらに高めることができる。その結果、通電状態の安定性をさらに向上させることができる。
【発明の効果】
【００１１】
この発明によれば、ロッカスイッチ全体のサイズを短小化させて、様々な用途にロッカスイッチを利用したいとする要望に応えるとともに、ロッカスイッチの接点における接触力を強くして、通電状態の安定性を高めることができる手法を提供することが可能となる。
【図面の簡単な説明】
【００１２】
【図１】本発明のスイッチ装置の第１実施形態に係るロッカスイッチの分解斜視図である。
【図２】図１のロッカスイッチの外観を示す斜視図である。
【図３】図１のロッカスイッチに対する押下操作が行われたときの状態の変化を示す断面正面図である。
【図４】図１のロッカスイッチに対する押下操作が行われたときの状態の変化を示す断面正面図である。
【図５】図１のロッカスイッチに対する押下操作が行われたときの状態の変化を示す断面正面図である。
【図６】本発明のスイッチ装置の第２実施形態に係るロッカスイッチの断面正面図である。
【発明を実施するための形態】
【００１３】
本発明に係るロッカスイッチについて、図面を参照しつつ説明する。なお、本発明は下記の実施形態に限定されるものではない。
また、本明細書における、「下側」、「下方向」といったような「下」を示す表現は、図面上の下方向を示す表現であり、ロッカスイッチを押下する方向を意味する。また、「上側」、「上方向」といったような「上」を示す表現は、図面上の上方向を示す表現であり、ロッカスイッチを押下する方向とは逆方向を意味する。
【００１４】
［第１実施形態］
（基本構成）
本発明の第１実施形態に係るロッカスイッチ１は、コイルバネが圧縮又は開放する際、可動接片１３と受部１４１とが接触する点を支点Ｓとし、支点Ｓの位置を移動させながら可動接片１３を搖動させる。具体的には、遮断状態にあるロッカスイッチ１に対し、通電状態とするための押下操作が行われた場合、支点Ｓは、図３（Ａ）に示す支点Ｓ１、図３（Ｂ）に示す支点Ｓ２、図４（Ａ）に示す支点Ｓ３、図４（Ｂ）に示す支点Ｓ４、図５に示す支点Ｓ５の順で移動する。また、通電状態にあるロッカスイッチ１に対し、遮断状態とするための押下操作が行われた場合、支点Ｓは、図５に示す支点Ｓ５、図４（Ｂ）に示す支点Ｓ４、図４（Ａ）に示す支点Ｓ３、図３（Ｂ）に示す支点Ｓ２、図３（Ａ）に示す支点Ｓ１の順で移動する。
すなわち、ロッカスイッチ１は、遮断状態にあるロッカスイッチ１に対し、通電状態とするための押下操作が行われた場合には、共通端子１４の上面に形成された受け部１４１において、支点Ｓ１からＳ５の順で支点Ｓの位置を移動させながら可動接片１３が搖動し、遮断状態とするための押下操作が行われた場合には、その逆の順で支点Ｓの位置を移動させながら可動接片１３が搖動する、という特徴を有するロッカスイッチである。
ロッカスイッチ１は、図１及び図２に示すように、ボタン１１と、コイルバネ１２と、可動接片１３と、共通端子１４と、接触端子１５と、ハウジング１６とを含むように構成されている。
【００１５】
以下、ロッカスイッチ１の各構成要素について詳しく説明する。
【００１６】
（ボタン）
ボタン１１は、ロッカスイッチ１に対する操作を受け付けるためのボタンであり、軸１１１を回転軸として搖動可能とするボタンである。軸１１１は、ハウジング１６の軸受１６１によって軸支されている。
具体的には、ボタン１１は、ロッカスイッチ１を遮断状態から通電状態にするための押下操作（以下、「通電操作」と呼ぶ）と、通電状態から遮断状態にするための押下操作（以下、「遮断操作」と呼ぶ）とを受け付ける。
ボタン１１に対する押下操作のうち、通電操作が行われる場合と、遮断操作が行われる場合とで押下される位置が異なる。例えば図３（Ａ）に示すように遮断状態にあるロッカスイッチ１に対して通電操作が行われる場合には、ボタン１１の中央部よりも左側が押下される。また例えば図５に示すように通電状態にあるロッカスイッチ１に対して遮断操作が行われる場合には、ボタン１１の中央部よりも右側が押下される。ボタン１１の中央部よりも左側が押下されると、ボタン１１は、軸１１１を回転軸として左回りに回転するように搖動し、ハウジング１６に係止される。ボタン１１の中央部よりも右側が押下されると、ボタン１１は、軸１１１を回転軸として右回りに回転するように搖動し、ハウジング１６に係止される。
ボタン１１に対する押下操作がなされると、コイルバネ１２が圧縮又は開放し、その圧縮又は開放により生じる弾性エネルギーを利用して可動接片１３が搖動する。
【００１７】
（コイルバネ）
コイルバネ１２は、図３（Ａ）〜図５に示すように、一方の端部が、ボタン１１の嵌合部１１２に嵌合され、他方の端部が、可動接片１３の荷重片１３１に嵌合されたコイルバネである。コイルバネ１２は、図３（Ａ）〜図５に示すように、ボタン１１に対する押下操作を受けると圧縮又は開放を繰り返す。圧縮又は開放により生じた弾性エネルギーは、可動接片１３に伝達されることで可動接片１３が搖動する。
なお、スイッチ構造の見やすさの見地から、コイルバネ１２の外観の表示は図１のみとし、図３（Ａ）〜図５では、コイルバネ１２の位置や動きを示す中心軸のみを破線で表示している。
【００１８】
（可動接片）
可動接片１３は、コイルバネ１２の圧縮又は開放により生じる弾性エネルギーを利用して搖動する接片であり、荷重片１３１と、接触片１３２と、端部１３３と、底部１３４とを含むように構成されている。可動接片１３は、共通端子１４の上面に形成された受け部１４１において、支点Ｓの位置を移動させながら搖動する。
荷重片１３１は、コイルバネ１２に嵌合される部材であり、コイルバネ１２に嵌合された荷重片１３１の端部は、可動接片１３がコイルバネ１２の圧縮又は開放により生じた弾性エネルギーを利用して搖動する際の荷重点ＬＰとなる。
ここで、本発明に係るロッカスイッチ１における荷重点ＬＰと支点Ｓとの距離は、長ければ長い方ほど、梃の原理によって荷重点ＬＰに加える力が小さくて済む。このため、荷重点ＬＰと支点Ｓとの距離については、図３（Ａ）等に示すように、荷重片１３１の長さの分だけ確保することができる。その結果、短いコイルバネ１２を採用することでロッカスイッチ１の低背化を図った場合であっても、接点Ｐにおいて十分な接触力を確保することができる。
接触片１３２は、接触端子１５の接触片１５１と接点Ｐで接触することで、ロッカスイッチ１を通電状態にするための部材である。
端部１３３は、接触片１３２とは反対側の端部のことをいう。端部１３３は、ロッカスイッチ１が遮断状態のときはハウジング１６により係止された状態となるが、ロッカスイッチ１が通電状態のときはハウジング１６から離隔した状態となる。
底部１３４は、共通端子１４の上面に形成される受部１４１のいずれかの位置に対し、点又は面で接触している部位である。ボタン１１に対する押下操作が行われると、底部１３４と受部１４１との接触部分が、可動接片１３が搖動する際の支点Ｓとなる。
【００１９】
可動接片１３は、ボタン１１に対する通電操作が行われると搖動し、接触端子１５に接触する。これによりロッカスイッチ１は通電状態となる。また、可動接片１３は、ボタン１１に対する遮断操作が行われると、通電操作が行われたときとは逆回転で搖動し、接触片１５１から離隔する。これによりロッカスイッチ１は遮断状態となる。
具体的には、可動接片１３は、ボタン１１に対する遮断操作が行われた後は、図３（Ａ）に示すように、接触端子１５と離隔し、端部１３３がハウジング１６に係止されて静止した状態となる。
【００２０】
ここで、ボタン１１に対する通電操作が行われると、可動接片１３は、図３（Ｂ）、図４（Ａ）、図４（Ｂ）の順で示すように、ハウジング１６から端部１３３を離隔させるとともに、受部１４１上の支点Ｓを接触端子１５側（図面における右方向）に移動させながら搖動する。
つまり、共通端子１４は、所定の厚みを有するため、共通端子１４の上面が、可動接片１３と接触する受部１４１を形成することとなる。可動接片１３は、共通端子１４の上面に形成された受部１４１の面に沿って、接触する部分（すなわち支点Ｓ）を移動させながら搖動する。
【００２１】
搖動した可動接片１３は、図５に示すように、接触端子１５に係止されることで静止する。このとき、可動接片１３の接触片１３２が、接触端子１５の接触片１５１に接触して通電状態となるが、可動接片１３には、コイルバネ１２の圧縮又は開放により生じた強い弾性エネルギーが加えられている。このため、接触片１３２は、通電状態の安定性を十分に確保できる接力で接触片１５１に押圧された状態になる。
【００２２】
ここで、ボタン１１に対する遮断操作が行われると、可動接片１３は、図４（Ｂ）、図４（Ａ）、図３（Ｂ）の順で示すように、接触片１５１から接触片１３２を離隔させるとともに、受部１４１上の支点Ｓを接触端子１５とは反対側（図面における左方向）に移動させながら搖動する。
搖動した可動接片１３は、上述した図３（Ａ）に示すように、ハウジング１６に端部１３３を係止されることで静止する。このとき、可動接片１３の接触片１３２は、接触端子１５の接触片１５１と離隔した状態となるので、ロッカスイッチ１は遮断状態となる。
【００２３】
（共通端子）
共通端子１４は、上面が、可動接片１３と接触する部分となる受部１４１を形成しており、他方の端部が、ハウジング１６に固定されている端子である。上面が受部１４１を形成しているので、上述したように、可動接片１３は、共通端子１４の受部１４１の面に沿って、接触する部分（すなわち支点Ｓ）を移動させながら搖動する。
【００２４】
（接触端子）
接触端子１５は、一方の端部に接触片１５１を有し、他方の端部がハウジング１６に固定されている端子である。
ボタン１１に対する通電操作が行われると、可動接片１３が搖動し、接触片１５１が可動接片１３の接触片１３２を係止する。これにより、接触片１５１と接触片１３２とが接点Ｐで接触した状態となるため、ロッカスイッチ１が通電状態になる。
そして、ボタン１１に対する遮断操作が行われると、可動接片１３が搖動し、接触片１５１から接触片１３２が離隔する。これにより、接触片１５１と接触片１３２とが接触していない状態となるため、ロッカスイッチ１が遮断状態になる。
【００２５】
（ハウジング）
ハウジング１６は、中心部に、ボタン１１と、コイルバネ１２と、可動接片１３と、共通端子１４と、接触端子１５とを配置させるための空洞Ｈを有する箱状のハウジングであり、ロッカスイッチ１を構成する部材を直接的又は間接的に支持する。ハウジング１６には、ボタン１１の軸１１１を軸支する軸受１６１が設けられている。
【００２６】
ロッカスイッチ１は、以上の構成を有することにより、ロッカスイッチ１全体のサイズを短小化させて、様々な用途にロッカスイッチ１を利用したいとする要望に応えるとともに、ロッカスイッチ１の接点における接触力を強くして、通電状態の安定性を高めることが可能となる。
【００２７】
［第２実施形態］
（基本構成）
本発明の第２実施形態に係るロッカスイッチ２は、図６に示すように、第１実施形態と同様に、コイルバネ１２が圧縮又は開放する際、可動接片２３と受部１４１とが接触する部分を支点Ｓとし、支点Ｓの位置を移動させながら搖動する。すなわち、ロッカスイッチ２は、共通端子１４の上面に形成された受け部１４１において、支点Ｓの位置を移動させながら可動接片２３が搖動する、という特徴を有するロッカスイッチである。
ロッカスイッチ２は、図６に示すように、ボタン２１と、コイルバネ１２と、可動接片２３と、共通端子１４と、接触端子１５と、ハウジング１６とを含むように構成されている。
【００２８】
以下、ロッカスイッチ２の各構成要素について詳しく説明する。なお、コイルバネ１２、共通端子１４、接触端子１５、及びハウジング１６については、第１実施形態と同様又は略同様の構成となっているため、説明を省略する。
【００２９】
（ボタン）
ボタン２１は、ロッカスイッチ２に対する操作を受け付けるためのボタンであり、軸２１１を回転軸として搖動可能とするボタンである。軸２１１は、ハウジング１６の軸受１６１によって軸支されている。また、嵌合部２１２には、コイルバネ１２が嵌合されている。
【００３０】
ボタン２１は、搖動片２１３を有する。搖動片２１３は、ボタン１１に対する押下操作に応じて、軸２１１を回転軸として搖動する。搖動片２１３の近傍には、可動接片２３の第２荷重片２３５ａ及び２３５ｂが接するか又は僅かな隙間を隔てた状態で配置されている。このため、例えば搖動片２１３が接触端子１５から離れる方向（すなわち、図面における左方向）に搖動すると、可動接片２３の第２荷重片２３５ａに接触して荷重が加わる。すると、可動接片２３は、第１実施形態と同様に、支点Ｓを移動させながら搖動する。これにより、可動接片２３の接触片２３２は、接触端子１５の接触片１５１から離隔するため、ロッカスイッチ２は遮断状態となる。
【００３１】
また例えば、図示はしないが、遮断状態にあるロッカスイッチ２において、搖動片２１３が接触端子１５に近づく方向（すなわち、図面における右方向）に搖動すると、可動接片２３の第２荷重片２３５ｂに接触して荷重が加わる。すると、可動接片２３は、第１実施形態と同様に、支点Ｓを移動させながら搖動する。これにより、可動接片２３の接触片２３２は、接触端子１５の接触片１５１に接触するため、ロッカスイッチ２は通電状態となる。
このように、第２実施形態の場合、第１実施形態と異なり、ボタン１１に対する押下操作を直接的に可動接片２３に伝達することもできる。
【００３２】
（可動接片）
可動接片２３は、コイルバネ１２の圧縮又は開放により生じる弾性エネルギーを利用して搖動する接片であり、第１荷重片２３１と、接触片２３２と、端部２３３と、底部２３４と、第２荷重片２３５ａ及び２３５ｂと、を含むように構成されている。可動接片２３は、共通端子１４の上面に形成された受け部１４１において、支点Ｓの位置を移動させながら搖動する。
第１荷重片２３１は、コイルバネ１２に嵌合される部材であり、コイルバネ１２に嵌合された第１荷重片２３１の端部は、可動接片２３がコイルバネ１２の圧縮又は開放により生じた弾性エネルギーを利用して搖動する際の荷重点ＬＰとなる。
接触片２３２は、接触端子１５の接触片１５１と接点Ｐで接触することで、ロッカスイッチ１を通電状態にするための部材である。
端部２３３は、接触片２３２とは反対側の端部のことをいう。端部２３３は、ロッカスイッチ２が遮断状態のときはハウジング１６に圧接された状態となるが、ロッカスイッチ２が通電状態のときはハウジング１６から離隔した状態となる。
底部２３４は、共通端子１４の上面により形成される受部１４１のいずれかの位置に対し、点又は面で接触している部位である。ボタン２１に対する押下操作が行われると、底部２３４と受部１４１との接触部分が、可動接片２３が搖動する際の支点Ｓとなる。
第２荷重片２３５ａは、ボタン２１の搖動片２１３の近傍に配置された部材であり、搖動片２１３が接触端子１５から離れる方向（すなわち、図面における左方向）に搖動すると、搖動片２１３に押圧されて荷重が加えられる。これにより、可動接片２３は、接触端子１５から離れる方向（すなわち、図面における左方向）に支点Ｓを移動させながら搖動する。その結果、可動接片２３の接触片２３２が、接触端子１５の接触片１５１から離隔するため、ロッカスイッチ２は遮断状態となる。
第２荷重片２３５ｂは、ボタン２１の搖動片２１３の近傍に配置された部材であり、搖動片２１３が接触端子１５に近づく方向（すなわち、図面における右方向）に搖動すると、搖動片２１３に押圧されて荷重が加えられる。これにより、可動接片２３は、接触端子１５に近づく方向（すなわち、図面における右方向）に支点Ｓを移動させながら搖動する。その結果、可動接片２３の接触片２３２が、接触端子１５の接触片１５１に接触するため、ロッカスイッチ２は通電状態となる。
【００３３】
ロッカスイッチ２は、以上の構成を有することにより、ロッカスイッチ２全体のサイズを短小化させて、様々な用途にロッカスイッチ２を利用したいとする要望に応えるとともに、ロッカスイッチ２の接点における接触力を強くして、通電状態の安定性を高めることが可能となる。
【００３４】
以上、本発明の一実施形態について説明したが、本発明は、上述の実施形態に限定されるものではなく、本発明の目的を達成できる範囲での変形、改良等は本発明に含まれるものである。また、本発明に係る要旨を逸脱しない範囲内であれば種々の変更を施してもよい。
【００３５】
以上まとめると、本発明が適用されるスイッチ装置は、次のような構成を取れば足り、各種各様な実施形態を取ることができる。
即ち、本発明が適用されるスイッチ装置（例えば図１のロッカスイッチ１）は、
ボタン（例えば図１のボタン１１）の一端部に対する押下操作を受け付けることで、ハウジング（例えば図１のハウジング１６）に固定された共通端子（例えば図１の共通端子１４）との接触点（例えば図３（Ａ）の受部１４１）を有する可動接片（例えば図１の可動接片１３）を搖動させ、当該可動接片を接触端子（例えば図１の接触端子１５）に接触させることで通電状態に切り替え、前記ボタンの他端部に対する押下操作を受け付けることで、前記可動接片を反対側へ揺動させ、前記接触端子から離隔させることで遮断状態に切り替えるスイッチ装置において、
前記押下操作に応じて圧縮又は開放を繰り返するコイルバネ（例えば図１のコイルバネ１２）と、
前記ボタンに設けられ、前記コイルバネの一方端を嵌合させる嵌合部（例えば図３の嵌合部１１２）と、
前記可動接片に設けられ、前記コイルバネの他方端を嵌合させて前記コイルバネの圧縮又は開放により生じた弾性エネルギーを前記可動接片に伝達する伝達部（例えば図３（Ａ）の荷重片１３１）と、
を備え、
前記可動接片は、伝達された前記弾性エネルギーを利用して、前記接触点を移動させながら当該接触点を支点（例えば図３（Ａ）の支点Ｓ１）として搖動する。
【００３６】
これにより、ロッカスイッチ全体のサイズを短小化させて、様々な用途にロッカスイッチを利用したいとする要望に応えることができるとともに、ロッカスイッチの接点における接触力を強くして、通電状態の安定性を高めることができる。
【００３７】
また、本発明に係るスイッチ装置は、前記可動接片が揺動自在となるように、前記ボタンと前記可動接片とを連結させる連結手段とを備えることが好ましい。
【００３８】
また、本発明に係るスイッチ装置の前記連結手段が、前記ボタンまたは前記可動接片に形成された凸部（例えば図６の搖動片２１３）と、前記凸部と嵌合する、前記可動接片または前記ボタンに形成された凹部（例えば図６の第２荷重片２３５ａと第２荷重片２３５ｂとの間のスペース）とからなることが好ましい。
これにより、押下操作により得られるエネルギーを直接的に可動接片１３の搖動に利用することができるので、接触片２３２が接触片１５１を押圧する接力をさらに高めることができる。その結果、通電状態の安定性をさらに向上させることができる。
【符号の説明】
【００３９】
１，２：ロッカスイッチ、１１，２１：ボタン、１２：コイルバネ、１３，２３：可動接片、１４：共通端子、１５：接触端子、１６：ハウジング、１１１，２１１：軸、１１２，２１２：嵌合部、１３１：荷重片、１３２，２３２：接触片、１３３，２３３：端部、１３４，２３４：底面、１４１：受部、１５１：接触片、１６１：軸受、２１３：搖動片、２３１：第１荷重片、２３５ａ，２３５ｂ：第２荷重片
【図１】
2020057469.tif 000003
【図２】
2020057469.tif 000004
【図３】
2020057469.tif 000005
【図４】
2020057469.tif 000006
【図５】
2020057469.tif 000007
【図６】
2020057469.tif 000008